(57)【特許請求の範囲】
【請求項１】
移動可能な移動体装置である撮像装置によって撮像された画像を示す画像データと、当該画像の位置を示す位置データとを取得する取得手段と、
前記画像データの解析結果に関する条件と、制御対象装置が行う処理とを対応付けて記憶する記憶手段と、
前記取得された画像データを解析し、解析結果が前記記憶されている条件に合致するか否かを判断する判断手段と、
前記解析結果が前記記憶されている条件に合致する場合には、前記取得された位置データに基づくエリアにおいて、前記条件に対応付けられた前記処理を行うよう前記制御対象装置に指示する指示手段と、
前記処理が行われるエリアに含まれる動植物の種類に応じて、前記撮像装置の移動を制御する移動制御手段と
を備えることを特徴とする遠隔制御システム。
【請求項２】
撮像装置によって撮像された画像を示す画像データと、当該画像の位置を示す位置データとを取得する取得手段と、
前記画像データの解析結果に関する条件と、制御対象装置が行う処理とを対応付けて記憶する記憶手段と、
前記取得された画像データを解析し、解析結果が前記記憶されている条件に合致するか否かを判断する判断手段と、
前記解析結果が前記記憶されている条件に合致する場合には、前記取得された位置データに基づくエリアにおいて、前記条件に対応付けられた前記処理を行うよう前記制御対象装置に指示する指示手段とを備え、
前記取得された位置データに基づくエリアは、当該位置データが示す位置を含まないエリアであって、且つ、当該位置データが示す位置と所定の位置関係にあるエリアである
ことを特徴とする遠隔制御システム。
【請求項３】
移動可能な移動体装置である撮像装置によって撮像された画像を示す画像データと、当該画像の位置を示す位置データとを取得する取得ステップと、
前記画像データの解析結果に関する条件と、制御対象装置が行う処理とを対応付けて記憶する記憶手段において、前記取得された画像データの解析結果が前記記憶されている条件に合致するか否かを判断する判断ステップと、
前記解析結果が前記記憶されている条件に合致する場合には、前記取得された位置データに基づくエリアにおいて、前記条件に対応付けられた前記処理を行うよう前記制御対象装置に指示する指示ステップと
前記処理が行われるエリアに含まれる動植物の種類に応じて、前記撮像装置の移動を制御する移動制御ステップと
を備えることを特徴とする遠隔制御方法。
【請求項４】
撮像装置によって撮像された画像を示す画像データと、当該画像の位置を示す位置データとを取得する取得ステップと、
前記画像データの解析結果に関する条件と、制御対象装置が行う処理とを対応付けて記憶する記憶ステップと、
前記取得された画像データを解析し、解析結果が前記記憶されている条件に合致するか否かを判断する判断ステップと、
前記解析結果が前記記憶されている条件に合致する場合には、前記取得された位置データに基づくエリアにおいて、前記条件に対応付けられた前記処理を行うよう前記制御対象装置に指示する指示ステップとを備え、
前記取得された位置データに基づくエリアは、当該位置データが示す位置を含まないエリアであって、且つ、当該位置データが示す位置と所定の位置関係にあるエリアである
ことを特徴とする遠隔制御方法。
【請求項５】
１以上のコンピュータに、
移動可能な移動体装置である撮像装置によって撮像された画像を示す画像データと、当該画像の位置を示す位置データとを取得する取得ステップと、
前記画像データの解析結果に関する条件と、制御対象装置が行う処理とを対応付けて記憶する記憶手段において、前記取得された画像データの解析結果が前記記憶されている条件に合致するか否かを判断する判断ステップと、
前記解析結果が前記記憶されている条件に合致する場合には、前記取得された位置データに基づくエリアにおいて、前記条件に対応付けられた前記処理を行うよう前記制御対象装置に指示する指示ステップと
前記処理が行われるエリアに含まれる動植物の種類に応じて、前記撮像装置の移動を制御する移動制御ステップと
を実行させるためのプログラム。
【請求項６】
１以上のコンピュータに、
撮像装置によって撮像された画像を示す画像データと、当該画像の位置を示す位置データとを取得する取得ステップと、
前記画像データの解析結果に関する条件と、制御対象装置が行う処理とを対応付けて記憶する記憶ステップと、
前記取得された画像データを解析し、解析結果が前記記憶されている条件に合致するか否かを判断する判断ステップと、
前記解析結果が前記記憶されている条件に合致する場合には、前記取得された位置データが示す位置を含まないエリアであって、且つ、当該位置データが示す位置と所定の位置関係にあるエリアにおいて、前記条件に対応付けられた前記処理を行うよう前記制御対象装置に指示する指示ステップと
を実行させるためのプログラム。
【発明の詳細な説明】
【技術分野】
【０００１】
本発明は、遠隔制御システム、遠隔制御方法、およびプログラムに関する。
【背景技術】
【０００２】
人間が行う作業を支援する様々な仕組みが開発されている。例えば農作業を支援する仕組みとして、特許文献１には、移動可能で且つ農作業を行う複数の農業機械２と、各農業機械２において農作業データを収集して外部に送信するデータ収集装置３と、データ収集装置３から送信された農作業データを受信してサーバ５に送信する移動可能な複数の携帯端末４とを備えたシステムが開示されている。サーバ５に蓄積された農作業データは、農作業従事者等が作業日報を作成したり、作業計画を立てたり、各圃場の農作業実績をグラフ化したり、経営計画を作成するために用いられる。
【先行技術文献】
【特許文献】
【０００３】
【特許文献１】特開２０１４−１９４６０１号公報
【発明の概要】
【発明が解決しようとする課題】
【０００４】
例えば特許文献１に記載の技術において、どのような農作業をいつ行うかという判断は農作業従事者に委ねられている。これに対し、本発明は、例えば農作業のような様々な処理を行うか否かの判断を人間に委ねなくても可能にすることを目的とする。
【課題を解決する手段】
【０００５】
本発明は、移動可能な移動体装置である撮像装置によって撮像された画像を示す画像データと、当該画像の位置を示す位置データとを取得する取得手段と、前記画像データの解析結果に関する条件と、制御対象装置が行う処理とを対応付けて記憶する記憶手段と、前記取得された画像データを解析し、解析結果が前記記憶されている条件に合致するか否かを判断する判断手段と、前記解析結果が前記記憶されている条件に合致する場合には、前記取得された位置データに基づくエリアにおいて、前記条件に対応付けられた前記処理を行うよう前記制御対象装置に指示する指示手段と、前記処理が行われるエリアに含まれる動植物の種類に応じて、前記撮像装置の移動を制御する移動制御手段とを備えることを特徴とする遠隔制御システムを提供する。
また、本発明は、撮像装置によって撮像された画像を示す画像データと、当該画像の位置を示す位置データとを取得する取得手段と、前記画像データの解析結果に関する条件と、制御対象装置が行う処理とを対応付けて記憶する記憶手段と、前記取得された画像データを解析し、解析結果が前記記憶されている条件に合致するか否かを判断する判断手段と、前記解析結果が前記記憶されている条件に合致する場合には、前記取得された位置データに基づくエリアにおいて、前記条件に対応付けられた前記処理を行うよう前記制御対象装置に指示する指示手段とを備え、前記取得された位置データに基づくエリアは、当該位置データが示す位置を含まないエリアであって、且つ、当該位置データが示す位置と所定の位置関係にあるエリアであることを特徴とする遠隔制御システムを提供する。
【００１４】
また、本発明は、移動可能な移動体装置である撮像装置によって撮像された画像を示す画像データと、当該画像の位置を示す位置データとを取得する取得ステップと、前記画像データの解析結果に関する条件と、制御対象装置が行う処理とを対応付けて記憶する記憶手段において、前記取得された画像データの解析結果が前記記憶されている条件に合致するか否かを判断する判断ステップと、前記解析結果が前記記憶されている条件に合致する場合には、前記取得された位置データに基づくエリアにおいて、前記条件に対応付けられた前記処理を行うよう前記制御対象装置に指示する指示ステップと、前記処理が行われるエリアに含まれる動植物の種類に応じて、前記撮像装置の移動を制御する移動制御ステップとを備えることを特徴とする遠隔制御方法を提供する。
また、本発明は、撮像装置によって撮像された画像を示す画像データと、当該画像の位置を示す位置データとを取得する取得ステップと、前記画像データの解析結果に関する条件と、制御対象装置が行う処理とを対応付けて記憶する記憶ステップと、前記取得された画像データを解析し、解析結果が前記記憶されている条件に合致するか否かを判断する判断ステップと、前記解析結果が前記記憶されている条件に合致する場合には、前記取得された位置データに基づくエリアにおいて、前記条件に対応付けられた前記処理を行うよう前記制御対象装置に指示する指示ステップとを備え、前記取得された位置データに基づくエリアは、当該位置データが示す位置を含まないエリアであって、且つ、当該位置データが示す位置と所定の位置関係にあるエリアであることを特徴とする遠隔制御方法を提供する。
【００１５】
また、本発明は、１以上のコンピュータに、移動可能な移動体装置である撮像装置によって撮像された画像を示す画像データと、当該画像の位置を示す位置データとを取得する取得ステップと、前記画像データの解析結果に関する条件と、制御対象装置が行う処理とを対応付けて記憶する記憶手段において、前記取得された画像データの解析結果が前記記憶されている条件に合致するか否かを判断する判断ステップと、
前記解析結果が前記記憶されている条件に合致する場合には、前記取得された位置データに基づくエリアにおいて、前記条件に対応付けられた前記処理を行うよう前記制御対象装置に指示する指示ステップと、前記処理が行われるエリアに含まれる動植物の種類に応じて、前記撮像装置の移動を制御する移動制御ステップとを実行させるためのプログラムを提供する。
また、本発明は、１以上のコンピュータに、撮像装置によって撮像された画像を示す画像データと、当該画像の位置を示す位置データとを取得する取得ステップと、前記画像データの解析結果に関する条件と、制御対象装置が行う処理とを対応付けて記憶する記憶ステップと、前記取得された画像データを解析し、解析結果が前記記憶されている条件に合致するか否かを判断する判断ステップと、前記解析結果が前記記憶されている条件に合致する場合には、前記取得された位置データが示す位置を含まないエリアであって、且つ、当該位置データが示す位置と所定の位置関係にあるエリアにおいて、前記条件に対応付けられた前記処理を行うよう前記制御対象装置に指示する指示ステップとを実行させるためのプログラムを提供する。
【発明の効果】
【００１６】
本発明によれば、人間の判断に委ねなくても、処理を行うか否かを判断することができる。
【図面の簡単な説明】
【００１７】
【図１】本発明の一実施形態に係る遠隔制御システム１の概要を例示する図。
【図２】移動体撮像装置２０のハードウェア構成を例示する図。
【図３】遠隔制御装置１０のハードウェア構成を例示する図。
【図４】遠隔制御装置１０の補助記憶装置１０４に記憶される情報を例示する図。
【図５】遠隔制御装置１０の補助記憶装置１０４に記憶される条件処理テーブルを例示する図。
【図６】遠隔制御システム１の機能構成を例示する図。
【図７】遠隔制御システム１の動作を例示するシーケンスチャート。
【符号の説明】
【００１８】
１…遠隔制御システム、１０…遠隔制御装置、１１…移動制御部、１２…取得部、１３…記憶部、１４…判断部、１５…指示部、１６…履歴記憶部、２０…移動体撮像装置、２１…移動部、２２…撮像部、２３…送信部、２４…位置検出部、３０…制御対象装置、３１…処理部、９０…ネットワーク、１０１…ＣＰＵ、１０２…ＲＡＭ、１０３…ＲＯＭ、１０４…補助記憶装置、１０５…通信ＩＦ、２０１…ＣＰＵ、２０２…ＲＡＭ、２０３…ＲＯＭ、２０４…補助記憶装置、２０５…通信ＩＦ、２０６…カメラ、２０７…センサ、２０８１…回転機構。
【発明を実施するための形態】
【００１９】
１．構成
図１は、本発明の一実施形態に係る遠隔制御システム１の概要を例示する図である。遠隔制御システム１は、遠隔制御装置１０と、移動体撮像装置２０と、制御対象装置３０と、これらの装置１０〜３０どうしを通信可能に接続するネットワーク９０とを備えている。ネットワーク９０は、例えばＬＡＮ（Local Area Network）またはＷＡＮ（Wide Area Network）、若しくはこれらの組み合わせであり、有線区間又は無線区間を含んでいてもよい。制御対象装置３０は、例えば田畑で栽培される植物に対して散水、追肥、農薬散布、収穫などの各種処理を行うための農業用機械である。移動体撮像装置３０は、移動可能で撮像機能を備えた装置であり、本実施形態では、ドローン又はマルチコプターと呼ばれる飛行可能な回転翼機である。移動体撮像装置３０は、遠隔制御装置１０の指示に従い、田畑の上方を飛行して、その田畑で栽培されている植物の画像を撮像する。遠隔制御装置１０は、移動体撮像装置３０によって撮像された画像を解析し、その解析結果に応じて、植物にどのような処理を行うべきかを決定し、決定した処理を行うよう制御対象装置３０に指示する。制御対象装置３０は、指示された処理を自動的に又は農業従事者の操作に従って行う。
【００２０】
図２は、移動体撮像装置２０のハードウェア構成を例示する図である。移動体撮像装置２０は、ＣＰＵ２０１（Central Processing Unit）、ＲＯＭ（Read Only Memory）２０２、ＲＡＭ（Random Access Memory）２０３、補助記憶装置２０４、通信ＩＦ２０５、カメラ２０６、センサ２０７及び回転機構２０８を有するＣＰＵ２０１は、各種の演算を行うプロセッサである。ＲＡＭ２０２は、ＣＰＵ２０１がプログラムを実行する際のワークエリアとして機能する揮発性メモリである。ＲＯＭ２０３は、例えば移動体撮像装置２０の起動に用いられるプログラムおよびデータを記憶した不揮発性メモリである。補助記憶装置２０４は、例えばＨＤＤ（Hard Disk Drive）又はＳＳＤ（Solid State Drive）などの不揮発性の記憶装置であり、移動体撮像装置２０において用いられるプログラムおよびデータを記憶する。ＣＰＵ２０１がこのプログラムを実行することにより、移動体撮像装置２０はコンピュータ装置として機能し、後述する図６に示される機能が実現される。通信ＩＦ２０５は、所定の通信規格に従ってネットワーク９０を介した通信を行うためのインターフェースである。この通信規格は、無線通信の規格であってもよいし、有線通信の規格であってもよい。カメラ２０６は、例えば移動体撮像装置２０の鉛直下方の空間を撮像し、撮像した画像を示す画像データを生成する。測位装置２０７は、例えばＧＰＳ（Global Positioning System）ユニットであり、移動体撮像装置２０の位置を検出する。回転機構２０８は、移動体撮像装置２０において浮力を発生させる手段であり、プロペラ、シャフト、モータ、その他の駆動機構などを含む。
【００２１】
図３は、遠隔制御装置１０のハードウェア構成を例示する図である。遠隔制御装置１０は、ＣＰＵ１０１、ＲＯＭ１０２、ＲＡＭ１０３、補助記憶装置１０４、および通信ＩＦ１０５を有するコンピュータ装置である。ＣＰＵ１０１は、各種の演算を行うプロセッサである。ＲＡＭ１０２は、ＣＰＵ１０１がプログラムを実行する際のワークエリアとして機能する揮発性メモリある。ＲＯＭ１０３は、例えば遠隔制御装置１０の起動に用いられるプログラムおよびデータを記憶した不揮発性メモリである。補助記憶装置１０４は、例えばＨＤＤ又はＳＳＤなどの不揮発性の記憶装置であり、遠隔制御装置１０において用いられるプログラムおよびデータを記憶する。ＣＰＵ１０１がこのプログラムを実行することにより、後述する図６に示される機能が実現される。通信ＩＦ１０５は、所定の通信規格に従ってネットワーク９０を介した通信を行うためのインターフェースである。
【００２２】
図４は、遠隔制御装置１０の補助記憶装置１０４に記憶される情報を例示する図である。補助記憶装置１０４には、移動体撮像装置１０において画像（ここでは動画）が撮像された日時、画像が撮像された位置を示す位置データ、撮像された画像を示す画像データ、撮像された画像が解析された結果、その解析の結果処理が必要とされるエリアの位置を示す処理対象位置データ、撮像された画像が画像認識技術により解析された解析結果、及び、必要とされる処理の内容が対応付けられて記憶される。
【００２３】
図５は、遠隔制御装置１０の補助記憶装置１０４に記憶される条件処理テーブルを例示する図である。条件処理テーブルには、あらかじめ想定される、撮像された画像が解析された解析結果の条件と、その条件に合致する位置において必要な処理とが対応付けられている。例えば画像に含まれるオブジェクト（植物の画像オブジェクト）の形状、色、大きさ等が害虫発生症状という条件に合致する場合には、農薬散布という処理が実行されることなどがこの条件処理テーブルに規定されている。
【００２４】
図６は、遠隔制御システム１の機能構成を例示する図である。遠隔制御システム１は、移動部２１、撮像部２２、位置検出部２３、送信部２４、移動制御部１１、取得部１２、記憶部１３、判断部１４、指示部１５、履歴記憶部１６、及び処理部３１を有する。この例では、移動部２１、撮像部２２、位置検出部２３、及び送信部２４が移動体撮像装置２０に実装されており、移動制御部１１、取得部１２、記憶部１３、判断部１４、指示部１５、及び履歴記憶部１６が遠隔制御装置１０に実装されており、処理部３１が制御対象装置３０に実装されている。
【００２５】
移動部２１は移動体撮像装置２０の回転機構２０８によって実現され、撮像部２２は移動体撮像装置２０のカメラ２０６によって実現され、位置検出部２３は移動体撮像装置２０の測位装置２０７によって実現され、送信部２４は移動体撮像装置２０の通信ＩＦ２０５によって実現される。移動制御部１１は遠隔制御装置１０のＣＰＵ１０１及び通信ＩＦ１０５によって実現され、取得部１２は遠隔制御装置１０の通信ＩＦ１０５によって実現され、記憶部１３は遠隔制御装置１０の補助記憶装置１０４によって実現され、判断部１４は遠隔制御装置１０のＣＰＵ１０１及び補助記憶装置１０４によって実現され、指示部１５は遠隔制御装置１０の通信ＩＦ１０５によって実現され、履歴記憶部１６は遠隔制御装置１０の補助記憶装置１０４によって実現される。
【００２６】
移動制御部１１は、移動体撮像装置２０の移動を制御するべく、移動部２１に対し移動経路、移動速度、移動するときの高度、撮像を開始及び終了する時期などを含む移動指示を与える。移動部２１は移動制御部１１の移動指示に従い、移動体撮像装置２０を移動させる。撮像部２５は、移動体撮像装置２０の移動に伴い、撮像の開始から終了に至る期間にわたって動画を撮像する。位置検出部２３は、移動体撮像装置２０の位置、つまり撮像される画像の位置を検出する。送信部２４は、撮像部２２によって撮像された画像を示す画像データと、当該画像の位置を示す位置データとを遠隔制御装置１０に送信する。
【００２７】
取得部１２は、送信部２４から送信された画像データ及び位置データを取得する。記憶部１３は、前述した条件処理テーブル、つまり、画像データの解析結果に関する条件と制御対象装置３０が行う処理とを対応付けた情報を記憶している。判断部１４は、取得部１２によって取得された画像データを解析し、その解析結果が記憶部１３に記憶されている条件に合致するか否かを判断する。指示部１５は、判断部１４による解析結果が記憶部１３に記憶されている条件に合致する場合には、取得部１２によって取得された位置データに基づいて処理対象となるエリアを特定し、そのエリアにおいて上記条件に対応付けられた処理を行うよう制御対象装置３０に指示する。履歴記憶部１６は、指示部１５により指示された処理と当該処理が行われたエリアの位置とを処理履歴として記憶する。処理部３１は、指示部１５による指示に応じて処理を行う。
【００２８】
２．動作
図７は、遠隔制御システム１の動作を例示するシーケンスチャートである。図７において、遠隔制御装置１０の移動制御部１１は、ネットワーク９０を介して移動部２１に対して、移動経路、移動速度、移動するときの高度、撮像を開始及び終了する時期などを含む移動指示を与える（ステップＳ１１）。この移動指示はこの遠隔制御システム１の管理者等により事前に作成されており、遠隔制御装置１０に入力される。
【００２９】
移動体撮像装置２０の移動部２１は移動制御部１１の移動指示に従い、回転機構２０８を駆動して移動体撮像装置２０を移動させる。撮像部２５は、移動体撮像装置２０の移動に伴い、移動指示に含まれる撮像の開始から終了に至る期間にわたって動画を撮像する。位置検出部２３は、移動体撮像装置２０の位置、つまり撮像される画像の位置を定期的に（例えば１０秒ごとに）検出する。送信部２４は、撮像部２２によって撮像された画像を示す画像データと、位置検出部２３によって検出された位置を示す位置データとを、ネットワーク９０を介して遠隔制御装置１０に送信する。この送信処理は、移動体撮像装置２０が飛行終了地点に設けられた基地施設に着陸してから行われてもよいし、移動体撮像装置２０の飛行中に行われてもよい。
【００３０】
遠隔制御装置１０の取得部１２は、送信部２４から送信された画像データ及び位置データを取得する。判断部１４は、取得部１２によって取得された画像データを解析する。具体的には、判断部１４は、画像データが示す各画像に含まれるオブジェクトの形状、色、大きさ等を画像認識技術により解析し、その解析結果が記憶部１３に記憶されている条件（害虫発生症状、水分不足症状、肥料不足症状、生育完了症状・・・）のいずれかに合致するか否かを判断する。
【００３１】
遠隔制御装置１０の指示部１５は、記憶部１３に記憶されている条件に合致するような解析結果となるような画像があった場合には、その画像に対応する位置データに基づいて、処理対象となるエリアの位置を特定する。より具体的には、指示部１５は、記憶部１３に記憶されている条件（害虫発生症状、水分不足症状、肥料不足症状、生育完了症状・・・）に合致するような解析結果となる画像に対応する位置データを中心として所定の半径のエリアを処理対象とする。そして、指示部１５は、条件処理テーブルにおいて上記条件に対応付けられた処理（農薬散布、散水、追肥、収穫・・・のいずれか）を読み出し、処理対象位置データとその処理とを含む処理指示を、ネットワーク９０を介して制御対象装置３０に送信する。履歴記憶部１６は、指示部１５により指示された処理と当該処理が行われるエリアの処理対象位置データとを処理履歴として記憶する。
【００３２】
制御対象装置３０の処理部３１は、指示部１５による処理指示を受け取る。そして、制御対象装置３０において、その処理指示に含まれる処理対象位置データが示すエリアにおいて、処理指示に含まれる処理が行われる。具体的には、制御対象装置３０が処理をすべて自動で行うことが可能な場合には、制御対象装置３０自身が処理対象位置データの示すエリアに移動して処理を実行する。また、少なくとも一部の処理を人間が補助ないし実行する場合には、例えば制御対象装置３０において人間が処理指示を参照し、制御対象装置３０を操作して処理対象位置データが示すエリアに移動し、そのエリアにて制御対象装置３０を操作しながら処理を実行する。
【００３３】
本実施形態によれば、人間の判断に委ねなくても、農作業のような様々な処理を行うか否かを判断することができる。
【００３４】
３．変形例
本発明は上述の実施形態に限定されるものではなく、種々の変形実施が可能である。以下、変形例をいくつか説明する。以下の変形例のうち２つ以上のものが組み合わせて用いられてもよい。
【００３５】
３−１．変形例１  
本発明は、田畑で栽培される植物以外に、海洋や河川で養殖される海苔、魚類、貝類等の動植物、或いは、牧場で飼われる家畜等の動物に対する処理を行う場合であっても適用可能である。
【００３６】
３−２．変形例１
移動制御部１１は、処理対象となるエリアに含まれる動植物の種類に応じて、移動体撮像装置２０の移動を制御するようにしてもよい。例えば動植物の種類によっては低い高度で移動体撮像装置２０が飛行しないと画像の解析ができないような場合には、移動制御部１１は、比較的低い高度で飛行するよう移動体撮像装置２０の移動を制御する。また、例えば動植物の種類によっては移動体撮像装置２０の単位面積当たりの移動経路を密にしないと画像の解析ができないような場合、移動制御部１１は、移動体撮像装置２０の単位面積当たりの移動経路を密にした移動経路で飛行するよう移動体撮像装置２０の移動を制御する。また、例えば動植物の種類によっては移動体撮像装置２０の移動速度を遅くしないと画像の解析ができないような場合、移動制御部１１は、比較的遅い速度で飛行するよう移動体撮像装置２０の移動を制御する。
また、実施形態では、判断部１４が画像を解析して必要な処理を選定していたが、これに代えて、例えばシステムの管理者等によって最初に処理が指定され、判断部１４が画像を解析して、指定されたその処理を行うべきか否かを判断してもよい。この場合、移動制御部１１は、指定された処理に応じて移動体撮像装置２０の移動を制御してもよい。例えば散水という処理が指定された場合には、単位面積当たりの移動経路が疎で、比較的高い高度で速く移動しても画像の解析には十分であるため、移動制御部１１はそのような移動をするよう移動体撮像装置２０を制御する。一方、例えば農薬散布という処理が指定された場合には、単位面積当たりの移動経路が密で、比較的低い高度で遅く移動しないと十分な画像解析ができないため、移動制御部１１はそのような移動をするよう移動体撮像装置２０を制御する。
【００３７】
３−３．変形例３
制御対象装置３０と移動体撮像装置２０とが同一であってもよい。つまり、制御対象装置３０として移動体撮像装置２０を用いてもよい。この場合、移動体撮像装置２０の送信部２４は、撮像部２２によって撮像された画像を示す画像データと、位置検出部２３によって検出された位置を示す位置データとを、移動体撮像装置２０の飛行中に送信してもよい。これに応じて、判断部１４は直ちに、取得部１２によって取得された画像データを解析し、その解析結果が記憶部１３に記憶されている条件に合致するか否かを判断する。そして、指示部１５は、判断部１４による解析結果が記憶部１３に記憶されている条件に合致する場合には、上記条件に対応付けられた処理を行うよう制御対象装置３０に指示する。これらの処理が移動体撮像装置２０の飛行中にリアルタイムに行われる。
【００３８】
３−４．変形例４
処理対象となるエリアは、画像が撮像された位置を含まないエリアであって、且つ、画像が撮像された位置と所定の位置関係にあるエリアであってもよい。例えば海洋において海苔を養殖する場合、赤潮等が発生する予兆は海苔の養殖地域よりも外洋側に現れることがある。そこで、移動体撮像装置２０は海苔の養殖地域よりも外洋側を撮像し、その撮像した画像の解析によって赤潮等の発生が予測される場合には、海苔の養殖施設があるエリアに対して施設の移動や適切な薬剤の散布などを行う。この場合、処理対象となるエリアは、画像が撮像された位置を含まないエリアであって、且つ、画像が撮像された位置と所定の位置関係にあるエリアに相当する。
【００３９】
３−５．変形例５
指示部１５は、履歴記憶部１６によって記憶された処理履歴に基づいて制御対象装置３０に指示する処理を決定する。例えば過去に農薬散布を行ったという処理履歴が記憶されているエリアに対して再び農薬散布を行う場合、指示部１５は、その農薬の量を前回よりも少なくする処理の指示を行うといった例が考えられる。  
【００４０】
３−６．変形例６
指示部１５は、移動体撮像装置２０によって画像が撮像された時期以前の、当該画像の位置における自然環境に関する情報（例えば温度、湿度、降水量）に基づいて、制御対象装置３０に指示する処理を決定するようにしてもよい。例えば移動体撮像装置２０によって画像が撮像された時期以前に降水量が極端に少ない場合には、指示部１５は、その処理対象となるエリアにおいて散水量を通常よりも多くする処理の指示を行うといった例が考えられる。  
【００４１】
３−７．変形例７
本発明における撮像装置は、実施形態で例示した回転翼機のような移動体撮像装置２０に限定されず、地面を移動する車両に搭載される装置であってもよいし、スマートフォンやデジタルカメラのようにユーザにより携帯される装置であってもよい。また、本発明における撮像装置は必ずしも、移動可能な装置でなくてもよく、例えば既知の位置において既知の向きにカメラが向けられた状態で固定された装置であってもよい。
【００４２】
３−８．他の変形例
図６で例示した機能構成の一部は省略されてもよい。例えば、記憶部１３は、遠隔制御システム１とは別の外部のコンピュータ装置により提供されてもよい。また、遠隔制御装置１０および移動体撮像装置２０における機能の分担は図６で例示したものに限定されない。実施形態においては遠隔制御装置１０に実装されていた機能の一部を、移動体装置２０に実装してもよい。例えば判断部１４の一部又は全部の機能は移動体撮像装置２０に実装されていてもよい。また、物理的に複数の装置からなるコンピュータ装置群が、遠隔制御システム１における遠隔制御装置１０として機能してもよい。
【００４３】
ＣＰＵ１０１およびＣＰＵ２０１等により実行されるプログラムは、光ディスク、磁気ディスク、半導体メモリなどの記憶媒体により提供されてもよいし、インターネット等の通信回線を介してダウンロードされてもよい。また、これらのプログラムは、実施形態で説明したすべてのステップを実行させるものでなくてもよい。
【図１】
0006621942.tif 000002
【図２】
0006621942.tif 000003
【図３】
0006621942.tif 000004
【図４】
0006621942.tif 000005
【図５】
0006621942.tif 000006
【図６】
0006621942.tif 000007
【図７】
0006621942.tif 000008